(57)【要約】【課題】  気圧の変化によるピント位置のズレを低減するのに有利なレンズ装置の提供。【解決手段】  変倍のために光軸の方向において移動する変倍レンズ群（２）を有するレンズ装置（０）は、変倍レンズ群の中で焦点距離の絶対値が最も小さい変倍レンズ群（２ａ）の焦点距離をｆｖとし、レンズ装置の広角端での焦点距離をｆｗとして、  ０．４＜｜ｆｖ／ｆｗ｜＜９なる条件式を満たし、気圧の変化によるピント位置の変化を補正するために光軸の方向において移動する補正レンズ群（４）を有する。【選択図】  図１
2020181157.tif 000002
【特許請求の範囲】
【請求項１】
変倍のために光軸の方向において移動する変倍レンズ群を有するレンズ装置であって、
前記変倍レンズ群の中で焦点距離の絶対値が最も小さい変倍レンズ群の焦点距離をｆｖとし、前記レンズ装置の広角端での焦点距離をｆｗとして、
０．４＜｜ｆｖ／ｆｗ｜＜９
なる条件式を満たし、
気圧の変化によるピント位置の変化を補正するために光軸の方向において移動する補正レンズ群を有する、
ことを特徴とするレンズ装置。
【請求項２】
変倍のために光軸の方向において移動する変倍レンズ群を有するレンズ装置であって、
前記変倍レンズ群の中で、空気レンズの合成焦点距離の絶対値が最も小さい変倍レンズ群の空気レンズの合成焦点距離をｆａｉｒ＿ｔとし、前記レンズ装置の広角端での焦点距離をｆｗとして、
０．４＜｜ｆａｉｒ＿ｔ／ｆｗ｜＜６
なる条件式を満たし、
気圧の変化によるピント位置の変化を補正するために光軸の方向において移動する補正レンズ群を有する、
ことを特徴とするレンズ装置。
ここで、ｆａｉｒ＿ｔは、合成される第ｉ空気レンズの焦点距離をｆａｉｒ＿ｉとして、
【数１】
2020181157.tif 000009
なる式で表され、
前記第ｉ空気レンズの焦点距離ｆａｉｒ＿ｉは、
前記第ｉ空気レンズに物体側において隣接するガラスの屈折率をＮ１とし、該ガラスの曲率半径をｒ１とし、
前記第ｉ空気レンズに像側において隣接するガラスの屈折率をＮ２とし、該ガラスの曲率半径をｒ２とし、
前記第ｉ空気レンズの屈折率をＮａｉｒとし、前記第ｉ空気レンズの光軸上の厚みをｄとして、
【数２】
2020181157.tif 000010
なる式で表される。
【請求項３】
変倍のために光軸の方向において移動する変倍レンズ群を有するレンズ装置であって、
前記変倍レンズ群の中で変倍比の絶対値が最も大きい変倍レンズ群の、前記レンズ装置の広角端での横倍率をβｗとし、前記レンズ装置の望遠端での横倍率をβｔとして、
２＜｜βｔ／βｗ｜
なる条件式を満たし、
気圧の変化によるピント位置の変化を補正するために光軸の方向において移動する補正レンズ群を有する、
ことを特徴とするレンズ装置。
ここで、変倍比は、広角端での横倍率に対する望遠端での横倍率の比とする。
【請求項４】
前記気圧に関する情報に基づいて、前記補正レンズ群の位置を制御する制御部を有することを特徴とする請求項１ないし請求項３のうちいずれか１項に記載のレンズ装置。
【請求項５】
前記気圧を計測する計測部を有することを特徴とする請求項４に記載のレンズ装置。
【請求項６】
前記制御部は、高度の情報に基づいて、前記気圧の情報を得ることを特徴とする請求項４に記載のレンズ装置。
【請求項７】
前記高度を計測する計測部を有することを特徴とする請求項６に記載のレンズ装置。
【請求項８】
前記制御部は、前記高度の情報を全地球測位システムにより得ることを特徴とする請求項６に記載のレンズ装置。
【請求項９】
前記気圧に関する情報と前記補正レンズ群の移動量に関する情報との対応関係を記憶する記憶部を有することを特徴とする請求項４に記載のレンズ装置。
【請求項１０】
前記制御部は、前記気圧の基準とする気圧に対する変化量が閾値未満の場合、前記補正レンズ群が移動しないようにすることを特徴とする請求項９に記載のレンズ装置。
【請求項１１】
前記閾値をＬとして、
０．５ｈｐａ＜Ｌ＜１００ｈｐａ
なる条件式を満たすことを特徴とする請求項１０に記載のレンズ装置。
【請求項１２】
前記対応関係は、前記レンズ装置の焦点距離によって異なることを特徴とする請求項９に記載のレンズ装置。
【請求項１３】
前記補正レンズ群を複数有することを特徴とする請求項１ないし請求項１２のうちいずれか１項に記載のレンズ装置。
【請求項１４】
前記変倍レンズ群は、前記補正レンズ群を含むことを特徴とする請求項１ないし請求項１３のうちいずれか１項に記載のレンズ装置。
【請求項１５】
前記補正レンズ群は、互いに異なる複数の気圧にそれぞれ対応する複数の移動軌跡を有することを特徴とする請求項１４に記載のレンズ装置。
【請求項１６】
請求項１ないし請求項１５のうちいずれか１項に記載のレンズ装置と、
前記レンズ装置の像面に配された撮像素子と、
を有することを特徴とする撮像装置。
【請求項１７】
変倍のために光軸の方向において移動する変倍レンズ群を有するレンズ装置の気圧の変化によるピント位置の変化を補正する方法であって、
前記変倍レンズ群の中で焦点距離の絶対値が最も小さい変倍レンズ群の焦点距離をｆｖとし、前記レンズ装置の広角端での焦点距離をｆｗとして、
０．４＜｜ｆｖ／ｆｗ｜＜９
なる条件式を満たす前記レンズ装置において、前記補正のために光軸の方向において可動の補正レンズ群の位置を前記気圧に関する情報に基づいて変更する、
ことを特徴とする方法。
【請求項１８】
変倍のために光軸の方向において移動する変倍レンズ群を有するレンズ装置の気圧の変化によるピント位置の変化を補正する方法であって、
前記変倍レンズ群の中で、空気レンズの合成焦点距離の絶対値が最も小さい変倍レンズ群の空気レンズの合成焦点距離をｆａｉｒ＿ｔとし、前記レンズ装置の広角端での焦点距離をｆｗとして、
０．４＜｜ｆａｉｒ＿ｔ／ｆｗ｜＜６
なる条件式を満たす前記レンズ装置において、前記補正のために光軸の方向において可動の補正レンズ群の位置を前記気圧に関する情報に基づいて変更する、
ことを特徴とする方法。
ここで、ｆａｉｒ＿ｔは、合成される第ｉ空気レンズの焦点距離をｆａｉｒ＿ｉとして、
【数１】
2020181157.tif 000011
なる式で表され、
前記第ｉ空気レンズの焦点距離ｆａｉｒ＿ｉは、
前記第ｉ空気レンズに物体側において隣接するガラスの屈折率をＮ１とし、該ガラスの曲率半径をｒ１とし、
前記第ｉ空気レンズに像側において隣接するガラスの屈折率をＮ２とし、該ガラスの曲率半径をｒ２とし、
前記第ｉ空気レンズの屈折率をＮａｉｒとし、前記第ｉ空気レンズの光軸上の厚みをｄとして、
【数２】
2020181157.tif 000012
なる式で表される。
【請求項１９】
変倍のために光軸の方向において移動する変倍レンズ群を有するレンズ装置の気圧の変化によるピント位置の変化を補正する方法であって、
前記変倍レンズ群の中で変倍比の絶対値が最も大きい変倍レンズ群の、前記レンズ装置の広角端での横倍率をβｗとし、前記レンズ装置の望遠端での横倍率をβｔとして、
２＜｜βｔ／βｗ｜
なる条件式を満たす前記レンズ装置において、前記補正のために光軸の方向において可動の補正レンズ群の位置を前記気圧に関する情報に基づいて変更する、
ことを特徴とする方法。
ここで、変倍比は、広角端での横倍率に対する望遠端での横倍率の比とする。
【請求項２０】
請求項１７ないし請求項１９のうちいずれか１項に記載の方法をコンピュータに実行させることを特徴とするプログラム。
【発明の詳細な説明】
【技術分野】
【０００１】
本発明は、レンズ装置および撮像装置に関するものである。
【背景技術】
【０００２】
半導体デバイス等の製品を製造するために基板を露光する露光装置においては、気圧の変化に伴って投影光学系のピント位置が変化すると、歩留まり又は生産性の低下の要因となりうる。そのため、露光装置は、気圧に基づいて、基板を保持したステージを制御して、ピント位置の変化を補償している（特許文献１）。
【０００３】
また、露光装置は、投影光学系のうちの一部の光学部材を駆動して、投影倍率誤差および歪曲収差を補正している（特許文献２）。
【０００４】
テレビカメラや、銀塩フィルム用カメラ、デジタルカメラ、ビデオカメラ等の撮像装置は、通常の気圧環境とは異なる気圧環境での撮影が行われうる。当該撮影は、例えば、ヘリコプタやドローンに撮像装置を搭載して行われる、高度変化に伴う気圧変化の大きい撮影や、気圧の低い高所のスタジアム等での撮影である。
【先行技術文献】
【特許文献】
【０００５】
【特許文献１】特開２００１−１４８３３７号公報
【特許文献２】特開Ｈ８−２５５７４８号公報
【発明の概要】
【発明が解決しようとする課題】
【０００６】
当該撮像装置におけるズームレンズは、主に焦点距離を変化させる変倍のための可動レンズユニット（バリエータ）と、当該変倍に伴う像面移動を補償（低減）するための可動レンズユニット（コンペンセータ）とを含む変倍レンズ群を有している。当該ズームレンズにおいて、強い屈折力を有する変倍レンズ群を有する場合、当該屈折力や変倍比の増大に伴って、気圧の変化に伴うピント位置の変化が増加する傾向がある。このようなズームレンズを、通常の気圧環境とは異なる気圧環境で用いた場合、気圧の変化に伴うピント位置のズレが生じうる。カメラの高画素化に伴ってカメラの画素ピッチが小さくなったことにより、焦点深度が浅くなり、そのため、気圧の変化に伴うピント位置のズレが目立ちやすくなってきている。本発明は、例えば、気圧の変化によるピント位置のズレを低減するのに有利なレンズ装置を提供することを目的とする。
【課題を解決するための手段】
【０００７】
本発明の一つの側面は、変倍のために光軸の方向において移動する変倍レンズ群を有するレンズ装置であって、
前記変倍レンズ群の中で焦点距離の絶対値が最も小さい変倍レンズ群の焦点距離をｆｖとし、前記レンズ装置の広角端での焦点距離をｆｗとして、
０．４＜｜ｆｖ／ｆｗ｜＜９
なる条件式を満たし、
気圧の変化によるピント位置の変化を補正するために光軸の方向において移動する補正レンズ群を有する、
ことを特徴とするレンズ装置である。
【発明の効果】
【０００８】
本発明によれば、例えば、気圧の変化によるピント位置のズレを低減するのに有利なレンズ装置を提供することができる。
【図面の簡単な説明】
【０００９】
【図１】実施形態１に係るレンズ装置の構成例を示す図
【図２】実施形態１に係る処理の流れを例示する図
【図３】実施形態２に係る処理の流れを例示する図
【図４】実施形態３に係るレンズ装置の構成例を示す図
【図５】実施形態３に係る処理の流れを例示する図
【図６】実施形態４に係るレンズ装置の構成例を示す図
【図７】実施形態４に係る処理の流れを例示する図
【図８】実施形態５に係る処理の流れを例示する図
【図９】実施形態６に係るレンズ装置の構成例を示す図
【図１０】実施形態６に係る処理の流れを例示する図
【図１１】数値実施例１に係るズームレンズの広角端かつ無限遠合焦の状態での断面図
【図１２】数値実施例２に係るズームレンズの広角端かつ無限遠合焦の状態での断面図
【図１３】数値実施例３に係るズームレンズの広角端かつ無限遠合焦の状態での断面図
【図１４】数値実施例４に係るズームレンズの広角端かつ無限遠合焦の状態での断面図
【図１５】数値実施例５に係るズームレンズの広角端かつ無限遠合焦の状態での断面図
【発明を実施するための形態】
【００１０】
以下、添付図面を参照して本発明の実施形態を説明する。なお、実施形態を説明するための全図を通して、原則として（断りのない限り）、同一の部材等には同一の符号を付し、その繰り返しの説明は省略する。
【００１１】
〔実施形態１〕
図１は、実施形態１に係るレンズ装置の構成例を示す図である。同図において、０は、レンズ装置（ズームレンズ装置ともいう）である。１は、変倍のためには移動しない、合焦機能を有するフォーカスレンズ群であり、２は、変倍のために光軸の方向において移動する複数の変倍レンズ群である。複数の変倍レンズ群２は、主として変倍機能を担う変倍レンズ群２ａと、変倍に伴う像面の変動（移動）を補正（補償）する機能を担う変倍レンズ群２ｂとを少なくとも有している。３は、開口絞りである。４は、ピント位置のズレを補正するために光軸の方向において可動の補正レンズ群である。本実施形態では、以上の要素１ないし４を含んでズームレンズ０を構成している。
【００１２】
５は、レンズ装置０の像面である。レンズ装置０が撮像装置を構成している場合、像面５には、撮像素子が配される。６は、合焦のために、フォーカスレンズ群１を構成するサブレンズ群を移動するための駆動部である。当該駆動部は、例えば、カム機構や、当該カムを駆動するモーター等のアクチュエータ、該アクチュエータのための駆動回路を含んで構成されている。７は、変倍レンズ群２を移動するための駆動部である。当該駆動部は、例えば、フォーカスレンズ群１を移動するための上述の駆動部とは同様の構成要素を含んで構成されうる。８は、開口絞り３の開口径を調整する駆動部である。当該駆動部は、例えば、フォーカスレンズ群１を移動するための上述の駆動部とは同様の構成要素を含んで構成されうる。９は、補正レンズ群の駆動部である。当該駆動部は、例えば、フォーカスレンズ群１を移動するための上述の駆動部とは同様の構成要素を含んで構成されうる。１０は、レンズ装置０の内部の気圧を計測する計測部である。１１は、補正レンズ群のための上記カムの状態（位置または回転角等）を検出する検出部である。１２は、制御部であり、レンズ装置における各種の処理を制御する。制御部１２は、単数または複数のプロセッサ（ＣＰＵ等）と単数または複数のメモリとを含んで構成されうる。１３は、記憶部であり、気圧の変化によるピント位置の変化を補正（低減）するための補正情報を記憶している。
【００１３】
上述したように、レンズ装置０は、気圧の変化に起因するピント位置の変化を補正（低減）するために光軸方向に移動する補正レンズ群４を有している。さらに、レンズ装置０は、変倍（ズーム）のために移動する変倍レンズ群を複数有し、当該複数の変倍レンズ群のうちで最も焦点距離の短い変倍レンズ群の焦点距離をｆｖとし、レンズ装置０の広角端での焦点距離をｆｗとして、
０．４＜｜ｆｖ／ｆｗ｜＜９・・・（１）
なる条件式を満たしている。条件式（１）を満たすことにより、気圧の変化によるピントのズレを簡易かつ良好に補正（低減）しうる。
【００１４】
以下に、気圧の変化によりレンズ装置のピントのズレが発生する原理を示す。一般に、物質の屈折率は、気圧が変化すると変化する。ガラスの絶対屈折率は、気圧が１気圧に対して極端に大きい場合を除き、ほとんど変化しない。一方、空気の屈折率は、次のＥｄｌｅｎの実験式に従い、気圧により大きく変化する。
【００１５】
【数１】
2020181157.tif 000003
【００１６】
ここで、ｎは、屈折率とし、Ｐは、気圧（ｈＰａ）とし、Ｔは、温度（℃）とし、Ｈは、湿度（％）としている。具体的には、空気の絶対屈折率は、１気圧（１０１３ｈＰａ）では、１．０００２６７であるに対して、約０．７気圧（７１１ｈＰａ）では、１．０００１８８となり、０気圧（真空状態）では、１．００００００となる。
【００１７】
このように、気圧が変化すると、ズームレンズのガラスの絶対屈折率はほとんど変化せず、空気の絶対屈折率のみが大きく変化する。このため、気圧が変化すると、ガラスと空気との屈折率差が変化する。このことに起因してレンズ装置０のピント位置が変化する。
【００１８】
また、気圧は、高度（標高ともいう）により、次の式に従って変化する。
【００１９】
【数２】
2020181157.tif 000004
【００２０】
ここで、ｈは、標高（ｍ）としている。この式より、標高が上がると気圧が小さくなることがわかる。具体的には、標高３０００ｍでは、約０．７気圧（７１１ｈＰａ）となる。よって、高度が変化すると、レンズ装置０のピントの位置が変化する。
【００２１】
レンズ装置０のピントのズレ量は、レンズ装置の有する各空気レンズの絶対屈折率の変化に起因するピントのズレ量の総和となる。ここで、各空気レンズの絶対屈折率の変化に起因するピントのズレ量をＸとして、当該ズレ量は、次式で比例関係を規定できる。
Ｘ  ∝（１−βａｉｒ）２×βｒ２／ｆａｉｒ・・・（４）
【００２２】
ここで、βａｉｒは、各空気レンズの横倍率とし、βｒは、各空気レンズより像側（後側）にある光学系全体の横倍率とし、ｆａｉｒは、各空気レンズの焦点距離としている。式〈４〉より、各空気レンズによるピントのズレ量は、焦点距離ｆａｉｒが短いほど、横倍率βａｉｒの絶対値が大きいほど、空気レンズより像側にある光学系全体の横倍率βｒの絶対値が大きいほど、大きいといえる。
【００２３】
集光レンズ系において、単焦点レンズ系等のガラス間（レンズ間）の間隔が小さい光学系の場合は、空気レンズの合成焦点距離は、およそ集光レンズ系の焦点距離×―１となり、空気レンズ系は、極端に強い屈折力を持たない。そのため、空気レンズ系の屈折率が変化しても、空気レンズ系の屈折力の変化は過度に大きい値とはならず、それゆえ、気圧によるピントのズレは、比較的小さい。
【００２４】
それに対して、ズームレンズ系の場合は、焦点距離によってレンズ群間の間隔や、各レンズ群の横倍率が大きく変化する。そのため、気圧によるピントのズレが過度に大きくなる焦点距離があったり、気圧によるピントのズレが焦点距離によって過度に大きく変動するケースが生じたりする傾向がある。特に、主変倍レンズ群が強い屈折力を有し、それを打ち消すように、それ以降のレンズ群がそれの符号とは異なる符号を有する強い屈折力を有する場合、上記の傾向が顕著となる。ここで、主変倍レンズ群とは、変倍のために移動する変倍レンズ群のうち、変倍比（広角端での横倍率に対する望遠端での横倍率の比の絶対値）が最も大きい変倍レンズ群をいう。
【００２５】
ここで、主変倍レンズ群は、強い屈折力を有するため、それに伴う空気レンズも強い屈折力を有する。同様に、それ以降のレンズ群も強い屈折力を有するため、それに伴う空気レンズも強い屈折力を有する。全体としてみると、ピントのズレ量は、主変倍レンズ群における強い屈折力を有する空気レンズによるものと、それ以降のレンズ群における強い屈折力（主変倍レンズ群におけるそれとは符号が逆）を有する空気レンズによるものとが互いに打ち消し合う関係となる。
【００２６】
これを焦点距離別にみると、広角端では、主変倍レンズ群の空気レンズの横倍率βａｉｒの絶対値が小さいため、式（４）より、主変倍レンズ群の空気レンズに起因するピントのズレ量は小さい。よって、広角端では、主変倍レンズ群より像側のレンズ群の空気レンズに起因するピントのズレ量が支配的となる。上述したように、主変倍レンズ群より像側のレンズ群の空気レンズは強い屈折力を有するため、ピントのズレ量は、広角端でも大きい傾向がある。特に、ズームレンズの広角端での焦点距離とは同じ焦点距離を有する単焦点レンズと比較した場合、その傾向は顕著である。また、ズームレンズは、通常、フォーカス（合焦）のために移動するフォーカスレンズ群を有しているところ、望遠端側では合焦機能を果たし、広角端側では合焦機能を果たさないフォーカスレンズ群を有するズームレンズも存在する。そのようなズームレンズの場合、広角端でのピントのズレは、撮影を困難としうる。
【００２７】
焦点距離が広角端から望遠端へ増大するに伴って、主変倍レンズ群における空気レンズの横倍率βａｉｒの絶対値が大きくなる。そうなると、式（４）より、主変倍レンズ群の空気レンズに起因するピントのズレ量が大きくなる。そして、気圧の変化によるピントのズレ量が焦点距離により大きく変化することになる。
【００２８】
以上に説明したように、本実施形態に係る強い屈折力を有する変倍レンズ群を含むズームレンズ（レンズ装置）は、通常の気圧環境とは異なる気圧環境で用いた場合、気圧の変化に伴うピント位置のズレが過度に大きくなりうる。ここで、条件式（１）は、さらに好ましくは、次の条件式（１ａ）とするのがよい。
０．６＜｜ｆｖ／ｆｗ｜＜７・・・（１ａ）
【００２９】
また、変倍のために移動する変倍レンズ群のうちで、空気レンズの合成焦点距離の絶対値が最も小さい変倍レンズ群の空気レンズの合成焦点距離をｆａｉｒ＿ｔとして、次の条件式
０．４＜｜ｆａｉｒ＿ｔ／ｆｗ｜＜６・・・（５）
を満たすのが好ましい。なお、ｆａｉｒ＿ｔは、レンズ群を構成する各空気レンズ（一般的には、第ｉ空気レンズ）の焦点距離をそれぞれ、ｆａｉｒ＿１、ｆａｉｒ＿２、ｆａｉｒ＿３、ｆａｉｒ＿４、・・・（一般的には、ｆａｉｒ＿ｉ）として、以下の式で表される焦点距離とする。
【００３０】
【数３】
2020181157.tif 000005
【００３１】
また、第ｉ空気レンズの焦点距離ｆａｉｒ＿ｉは、次式で表される焦点距離とする。
【００３２】
【数４】
2020181157.tif 000006
【００３３】
ここで、各文字列の定義は、次のとおりである。
Ｎ１：物体側において空気レンズに隣接するガラスの屈折率
ｒ１：物体側において空気レンズに隣接するガラスの曲率半径
Ｎ２：像側において空気レンズに隣接するガラスの屈折率
ｒ２：像側において空気レンズに隣接するガラスの曲率半径
Ｎａｉｒ：空気レンズの屈折率
ｄ：空気レンズの光軸上の厚み
ｆａｉｒ＿ｔの絶対値が小さい、つまりｆａｉｒ＿ｔを有する変倍レンズ群の有する空気レンズの屈折力の絶対値が大きい場合、前述のようにピント位置のズレが大きくなりうる。
【００３４】
条件式（５）式は、さらに好ましくは、次式のようにするのがよい。
０．６＜｜ｆｖ／ｆｗ｜＜４・・・（５ａ）
【００３５】
本実施形態に係るレンズ装置は、変倍のために移動する変倍レンズ群のうち、変倍比の絶対値が最も大きい変倍レンズ群の広角端での横倍率をβｗとし、同変倍レンズ群の望遠端での横倍率をβｔとして、条件式
２＜｜βｔ／βｗ｜・・・（６）
を満たすのが好ましい。ここで、変倍比は、広角端での横倍率に対する望遠端での横倍率の比の絶対値で与えられるものとしている。
【００３６】
変倍のために移動するレンズ群の変倍比が大きい場合、当該レンズ群の有する空気レンズの横倍率βａｉｒの変化量も大きい。そのため、式（４）より、当該レンズ群の空気レンズに起因するピントのズレ量の変化も大きい。すなわち、焦点距離の変化による、気圧の変化によるピントのズレ量の変化も大きい。条件式（６）は、さらに好ましくは、次の条件式（６ａ）ようにするのがよい。
２．５＜｜βｔ／βｗ｜・・・（６ａ）
【００３７】
本実施形態に係るレンズ装置０は、レンズ装置の雰囲気または内部の気圧を計測する気圧計測部１０（計測部ともいう）を有している。レンズ装置０は、ピントのズレを補正（低減）するための補正レンズ群４の移動量を得るための情報（補正情報ともいう）を記憶部１３に記憶している。当該補正情報は、気圧の変化量とピント位置の変化量との対応関係を示す情報（補正情報１ともいう）としうる。制御部１２は、気圧計測部で計測された気圧と補正情報１とから、補正レンズ群４の補正量（または移動量）を取得しうる。なお、気圧計測部に替えて、高度計測部やＧＰＳ（Ｇｌｏｂａｌ  Ｐｏｓｉｔｉｏｎｉｎｇ  Ｓｙｓｔｅｍ；全地球測位システム）を使用しうる。高度計測部を使用する場合、高度計測部で計測された高度を気圧に換算すればよい。また、ＧＰＳを使用する場合、ＧＰＳから得られた高度を気圧に換算すればよい。
【００３８】
制御部１２は、得られた気圧に基づいて、記憶部１３に記憶されている情報から補正量を得て、当該補正量を駆動部９に入力する。駆動部９は、制御部１２からの補正量に基づいて、補正レンズ群４を光軸方向に移動してピントのズレを補正する。なお、記憶部１３に記憶されている補正情報は、テーブル形式の情報であってもよいし、関数形式の情報であってもよい。
【００３９】
ここで、図２は、実施形態１に係る処理の流れを例示する図である。当該処理は、制御部１２が制御プログラムを実行することにより実施される。同図において、処理が開始すると、まず、ステップＳ１１では、気圧計測部１０により計測された気圧の情報を取得する。ステップＳ１２では、ステップＳ１１で取得された気圧の情報と記憶部１３に記憶されている補正情報とに基づいて、補正レンズ群４の補正量（移動量）を取得する。ステップＳ１３では、駆動部９および検出部１１により補正レンズ群４の駆動（位置）の制御（位置の変更）を行って、気圧の変化によるピント位置の変化を補正する。そして、処理を終了する。なお、気圧は、上述したように、高度計測部またはＧＰＳを介して取得してもよい。その場合、記憶部１３に記憶されている補正情報は、高度に対応する情報または高度を引数とする情報であってもよい。
【００４０】
また、レンズ装置０は、基準とする気圧に対する気圧の変化量が予め定められた閾値Ｌに満たない場合、ピント位置の変化量（補正レンズ群４の補正量または移動量）をゼロとして、補正レンズ群４を移動しないようにしうる。当該閾値Ｌは、次の条件式
０．５ｈｐａ＜Ｌ＜１００ｈｐａ・・・（７）
を満たすようにするのが好ましい。
条件式（７）は、さらに好ましくは、次の条件式（７ａ）のようにしうる。
５ｈｐａ＜Ｌ＜５０ｈｐａ・・・（７ａ）
そのようにして、ピントのズレ量が閾値Ｌ以上の場合のみ補正レンズ群４を駆動することにより、無用な駆動の削減や制御の安定性の点で有利なレンズ装置を提供しうる。
【００４１】
また、補正情報１は、気圧の変化量のみならず焦点距離を変数（引数）としてもよい。そうすることにより、気圧の変化によるピントのズレ量が焦点距離によって大きく変化する場合でも、より適切な補正を行うことができる。また、レンズ装置０は、気圧の変化に起因するピント位置の変化を補正するために光軸方向に移動する補正レンズ群は、補正レンズ群４に限らず、複数有していてもよい。そのようにしている場合、気圧の変化によるピントのズレが焦点距離の変化によって大きく変化するレンズ装置においても、ピント位置の変化に対する補正の敏感度がピント位置の変化量に適合する補正レンズ群を用いた適切な補正を行うことができる。ここで、補正レンズ群の「ピント位置の変化に対する補正の敏感度」とは、補正レンズ群の単位移動量あたりのピント位置の変化量のことである。また、複数の補正レンズ群を同時に動かすことにより、ピントのズレ量が大きい場合であって高精度な補正を行うことができる。
【００４２】
また、レンズ装置０は、変倍のために移動する各変倍レンズ群（例えば、少なくともコンペンセーター群２ｂ）の位置と焦点距離との対応関係（移動軌跡）を、互いに異なる複数の気圧のそれぞれに関して有するようにしてもよい。そうすることにより、気圧の変化によるピントのズレ量が焦点距離の変化によって大きく変化する場合でも、変倍のために移動する各変倍レンズ群の軌跡を変更することにより、焦点距離の変化に伴うピントの位置ずれを補正（低減）するのに有利としうる。
【００４３】
さらに、レンズ装置０と、レンズ装置０の像面に配された撮像素子（を含むカメラ装置）とを有する撮像装置を構成することにより、気圧の変化によるピント位置のズレを低減するのに有利な撮像装置を提供することができる。以上に説明したように、本実施形態によれば、例えば、気圧の変化によるピント位置のズレを低減するのに有利なレンズ装置を提供することができる。
【００４４】
〔実施形態２〕
本実施形態におけるレンズ装置０の構成例は、実施形態１におけるものと同様である。本実施形態は、気圧の変化量が予め定められた閾値Ｌに満たない場合の処理を含む処理の流れを具体的に示すものである。図３は、実施形態２に係る処理の流れを例示する図である。当該処理は、制御部１２が制御プログラムを実行することにより実施される。同図において、処理が開始すると、まず、ステップＳ２１では、気圧計測部１０により計測された気圧の情報を取得する。ステップＳ２２では、前回取得された気圧からの気圧の変化量が閾値未満か判定を行う（閾値はＬ）。ここで、閾値Ｌは、実施形態１において説明したものとしうる。当該変化量が閾値Ｌ未満の場合には、ステップＳ２５に処理が進められ、処理は終了する。当該変化量がＬ未満でない場合には、ステップＳ２３に処理が進められる。ステップＳ２３では、ステップＳ２１で取得された気圧の情報と記憶部１３に記憶されている補正情報とに基づいて、補正レンズ群４の補正量（移動量）を取得する。ステップＳ２４では、駆動部９および検出部１１により補正レンズ群４の駆動（位置）の制御（位置の変更）を行って、気圧の変化によるピント位置の変化を補正する。そして、処理を終了する。本実施形態によれば、例えば、気圧の変化によるピント位置のズレを低減するのに有利なレンズ装置を提供することができる。
【００４５】
〔実施形態３〕
図４は、実施形態３に係るレンズ装置の構成例を示す図である。当該構成例は、実施形態１に係る構成例と比較して、以下の点で異なっている。
【００４６】
（Ａ１）記憶部１３における補正情報が、変倍レンズ群の位置の変化にも対応している点。
【００４７】
（Ａ２）変倍レンズ群の状態を検出する状態検出部１４を有している点。
【００４８】
本実施形態のレンズ装置においては、変倍レンズ群の状態（例えば、変倍レンズ群を駆動するためのカム部材の位置または回転角）の変化によるピントのズレを補正するための補正情報が予め記憶部１３に記憶されている。なお、補正情報は、テーブル形式の情報であってもよいし、関数形式の情報であってもよい。
【００４９】
図５は、実施形態３に係る処理の流れを例示する図である。当該処理は、制御部１２が制御プログラムを実行することにより実施される。同図において、処理が開始すると、まず、ステップＳ３１では、状態検出部１４により検出された変倍レンズ群の状態の情報を取得する。ステップＳ３２では、気圧計測部１０により計測された気圧の情報を取得する。ステップＳ３３では、ステップＳ３１で取得された状態の情報とステップＳ３１で取得された気圧の情報と記憶部１３に記憶されている補正情報とに基づいて、補正レンズ群４の補正量（移動量）を取得する。ステップＳ３４では、駆動部９および検出部１１により補正レンズ群４の駆動（位置）の制御（位置の変更）を行って、気圧の変化によるピント位置の変化を補正する。そして、処理を終了する。本実施形態によれば、例えば、気圧の変化によるピント位置のズレを低減するのに有利なレンズ装置を提供することができる。
【００５０】
〔実施形態４〕
図６は、実施形態４に係るレンズ装置の構成例を示す図である。当該構成例は、実施形態３に係る構成例と比較して、以下の点で異なっている。
【００５１】
（Ｂ１）光軸の方向において可動の第２補正レンズ群１５と、第２補正レンズ群１５を移動するための駆動部１６と、第２補正レンズ群１５の状態を検出する第２検出部１７とを有している点。
（Ｂ２）記憶部１３が第２補正レンズ群１５のための補正情報をも有している点。
【００５２】
本実施形態のレンズ装置０においては、記憶手段１３は、複数の補正レンズ群にそれぞれ対応する複数の補正情報を予め記憶している。なお、記憶部１３に記憶されている補正情報は、テーブル形式の情報であってもよいし、関数形式の情報であってもよい。
【００５３】
図７は、実施形態４に係る処理の流れを例示する図である。当該処理は、制御部１２が制御プログラムを実行することにより実施される。同図において、処理が開始すると、まず、ステップＳ４１では、状態検出部１４により検出された変倍レンズ群の状態の情報を取得する。ステップＳ４２では、ステップＳ４１で取得された状態の情報に基づいて、補正に適した補正レンズ群を決定する。ステップＳ４３では、気圧計測部１０により計測された気圧の情報を取得する。ステップＳ４４では、ステップＳ４１で取得された状態の情報とステップＳ４３で取得された気圧の情報と記憶部１３に記憶されている補正情報とに基づいて、ステップＳ４２で決定された補正レンズ群の補正量（移動量）を取得する。Ｓ４５では、ステップＳ４２で決定された補正レンズ群の駆動（位置）の制御（位置の変更）を、それに対応する駆動部および検出部により行って、気圧の変化によるピント位置の変化を補正する。そして、処理を終了する。本実施形態によれば、例えば、気圧の変化によるピント位置のズレを低減するのに有利なレンズ装置を提供することができる。
【００５４】
〔実施形態５〕
本実施形態におけるレンズ装置０の構成例は、実施形態４におけるものと同様である。ここで、図８は、実施形態５に係る処理の流れを例示する図である。当該処理は、制御部１２が制御プログラムを実行することにより実施される。同図において、処理が開始すると、まず、ステップＳ５１では、状態検出部１４により検出された変倍レンズ群の状態の情報を取得する。ステップＳ５２では、気圧計測部１０により計測された気圧の情報を取得する。ステップＳ５３では、Ｓ５１で取得された状態の情報とＳ５２で取得された気圧の情報と記憶部１３に記憶されている補正情報とに基づいて、各補正レンズ群の補正量（移動量）を取得する。ステップＳ５４では、各補正レンズ群の駆動（位置）の制御（位置の変更）を、それに対応する駆動部および検出部により行って、気圧の変化によるピント位置の変化を補正する。そして、処理を終了する。本実施形態によれば、例えば、気圧の変化によるピント位置のズレを低減するのに有利なレンズ装置を提供することができる。
【００５５】
〔実施形態６〕
図９は、実施形態６に係るレンズ装置の構成例を示す図である。当該構成例は、実施形態２に係る構成例と比較して、以下の点で異なっている。
【００５６】
本実施形態のレンズ装置０においては、記憶部１３は、互いに異なる複数の気圧にそれぞれ対応する各変倍レンズ群２ａおよび２ｂ（のうち少なくとも後者）の複数の移動軌跡の情報を予め記憶している。すなわち、本実施形態では、各変倍レンズ群２ａおよび２ｂ（のうち少なくとも後者）が光軸の方向において可動の補正レンズ群を構成している。なお、記憶部１３に記憶されている複数の移動軌跡の情報（補正情報）は、テーブル形式の情報であってもよいし、関数形式の情報であってもよい。
【００５７】
ここで、図１０は、実施形態６に係る処理の流れを例示する図である。当該処理は、制御部１２が制御プログラムを実行することにより実施される。同図において、処理が開始すると、まず、ステップＳ６１では、気圧計測部１０により計測された気圧の情報を取得する。ステップＳ６２では、Ｓ６１で取得された気圧の情報と記憶部１３に記憶されている複数の移動軌跡の情報とに基づいて、変倍レンズ群２ａおよび２ｂの移動軌跡の情報を取得する。ステップＳ６３では、変倍レンズ群２ａおよび２ｂの駆動（位置）の制御（位置の変更）を、それらにそれぞれ対応する複数の移動軌跡の情報に基づいて行って、気圧の変化によるピント位置の変化を補正する。そして、処理を終了する。本実施形態によれば、例えば、気圧の変化によるピント位置のズレを低減するのに有利なレンズ装置を提供することができる。
【００５８】
以下、本発明に係る数値実施例を説明する。
【００５９】
〔数値実施例１〕
図１１は、数値実施例１に係るレンズ装置における光学系（ズームレンズ）の広角端かつ無限遠合焦の状態での断面図である。同図を参照して、当該ズームレンズについて、物体側から像側へ順に説明を行う。
【００６０】
Ｕ１は、変倍（ズーム調整）のためには移動しない、正の屈折力の第１レンズ群である。第１レンズ群の一部は、無限遠から有限距離への合焦（フォーカス調整）のために像側から物体側へ移動する。Ｕ２は、広角端（短焦点距離端）から望遠端（長焦点距離端）への変倍のために像側へ移動する負の屈折力の第２レンズ群（バリエーターレンズ群）である。Ｕ３は、変倍のために移動する負の屈折力の第３レンズ群（コンペンセーターレンズ群）である。ＳＰは、開口絞りである。Ｕ４は、変倍のためには移動しない第４レンズ群である。ＵＣは、気圧の変化によるピント位置の変化を補正する補正レンズ群（第５レンズ群ともいう）である。Ｐは、プリズムや光学フィルター等を含む光学ブロック（第６レンズ群ともいう）である。Ｉは、ズームレンズの像面であり、そこにはカメラ装置における撮像素子（光電変換素子）の受光面が配される。
【００６１】
本数値実施例において、変倍のために移動するレンズ群の中で焦点距離の絶対値が最も小さいレンズ群、空気レンズの合成焦点距離の絶対値が最も小さいレンズ群、および変倍比の絶対値が最も大きいレンズ群は、いずれも第２レンズ群Ｕ２である。本数値実施例のズームレンズの０．７気圧でのピント位置の、基準とする１気圧でのピント位置に対する変化量は、広角端で−４５μｍ、望遠端で−３５８μｍである。当該変化量を補正するための補正レンズ群ＵＣの光軸方向における移動量は、それぞれ、広角端で＋４５μｍ、望遠端で＋３５８μｍである。
【００６２】
〔数値実施例２〕
図１２は、数値実施例２に係るレンズ装置における光学系（ズームレンズ）の広角端かつ無限遠合焦の状態での断面図である。同図を参照して、当該ズームレンズについて、物体側から像側へ順に説明を行う。
【００６３】
Ｕ１は、変倍（ズーム調整）のためには移動しない、正の屈折力の第１レンズ群である。第１レンズ群の一部は、無限遠から有限距離への合焦（フォーカス調整）のために像側から物体側へ移動する。Ｕ２は、広角端（短焦点距離端）から望遠端（長焦点距離端）への変倍のために像側へ移動する負の屈折力の第２レンズ群（バリエーターレンズ群）である。Ｕ３は、変倍のために移動する負の屈折力の第３レンズ群（コンペンセーターレンズ群）である。ＳＰは、開口絞りである。Ｕ４は、変倍のためには移動しない第４レンズ群である。ＵＣは、気圧の変化によるピント位置の変化を補正する補正レンズ群（第５レンズ群ともいう）である。Ｉは、ズームレンズの像面であり、そこにはカメラ装置における撮像素子（光電変換素子）の受光面が配される。
【００６４】
本数値実施例において、変倍のために移動するレンズ群の中で焦点距離の絶対値が最も小さいレンズ群、空気レンズの合成焦点距離の絶対値が最も小さいレンズ群、および変倍比の絶対値が最も大きいレンズ群は、いずれも第２レンズ群Ｕ２である。本数値実施例のズームレンズの０．７気圧でのピント位置の、基準とする１気圧でのピント位置に対する変化量は、広角端で−１８９μｍ、望遠端で−１２５６μｍである。当該変化量を補正するための補正レンズ群ＵＣの光軸方向における移動量は、それぞれ、広角端で−７４４μｍ、望遠端で−４９３４μｍである。
【００６５】
〔数値実施例３〕
図１３は、数値実施例３に係るレンズ装置における光学系（ズームレンズ）の広角端かつ無限遠合焦の状態での断面図である。同図を参照して、当該ズームレンズについて、物体側から像側へ順に説明を行う。
【００６６】
Ｕ１は、変倍（ズーム調整）のためには移動しない、正の屈折力の第１レンズ群である。第１レンズ群の一部は、無限遠から有限距離への合焦（フォーカス調整）のために像側から物体側へ移動する。Ｕ２は、広角端（短焦点距離端）から望遠端（長焦点距離端）への変倍のために像側へ移動する負の屈折力の第２レンズ群（バリエーターレンズ群）である。Ｕ３は、変倍のために移動する正の屈折力の第３レンズ群（コンペンセーターレンズ群）である。ＳＰは、開口絞りである。Ｕ４は、変倍のためには移動しない第４レンズ群である。ＵＣは、気圧の変化によるピント位置の変化を補正する補正レンズ群（第５レンズ群ともいう）である。Ｉは、ズームレンズの像面であり、そこにはカメラ装置における撮像素子（光電変換素子）の受光面が配される。
【００６７】
本数値実施例において、変倍のために移動するレンズ群の中で焦点距離の絶対値が最も小さいレンズ群、空気レンズの合成焦点距離の絶対値が最も小さいレンズ群、および変倍比の絶対値が最も大きいレンズ群は、いずれも第２レンズ群Ｕ２である。本数値実施例のズームレンズの０．７気圧でのピント位置の、基準とする１気圧でのピント位置に対する変化量は、広角端で−３５μｍ、望遠端で−７２μｍである。当該変化量を補正するための補正レンズ群ＵＣの光軸方向における移動量は、広角端で＋４１μｍ、望遠端で＋８３μｍである。
【００６８】
〔数値実施例４〕
図１４は、数値実施例４に係るレンズ装置における光学系（ズームレンズ）の広角端かつ無限遠合焦の状態での断面図である。同図を参照して、当該ズームレンズについて、物体側から像側へ順に説明を行う。
【００６９】
Ｕ１は、変倍（ズーム調整）のためには移動しない、正の屈折力の第１レンズ群である。第１レンズ群Ｕ１の一部としてのＵＣ２は、気圧の変化によるピント位置の変化を補正する第２の補正レンズ群である。Ｕ２は、広角端（短焦点距離端）から望遠端（長焦点距離端）への変倍のために像側へ移動する負の屈折力の第２レンズ群（バリエーターレンズ群）である。Ｕ３は、変倍のために移動する負の屈折力の第３レンズ群（コンペンセーターレンズ群）である。ＳＰは、開口絞りである。Ｕ４は、変倍のためには移動しない第４レンズ群である。ＵＣ１は、気圧の変化によるピント位置の変化を補正する第１の補正レンズ群（第５レンズ群ともいう）である。Ｐは、プリズムや光学フィルター等を含む光学ブロック（第６レンズ群ともいう）である。Ｉは、ズームレンズの像面であり、そこにはカメラ装置における撮像素子（光電変換素子）の受光面が配される。
【００７０】
本数値実施例において、変倍のために移動するレンズ群の中で焦点距離の絶対値が最も小さいレンズ群、空気レンズの合成焦点距離の絶対値が最も小さいレンズ群、および変倍比の絶対値が最も大きいレンズ群は、いずれも第２レンズ群Ｕ２である。本数値実施例のズームレンズの０．７気圧でのピント位置の、基準とする１気圧でのピント位置に対する変化量は、広角端で−２６μｍ、望遠端で−８５μｍである。ここで、補正レンズ群ＵＣ１は、広角端でのピント位置の補正を行い、当該補正のための光軸方向における移動量は、＋２６μｍである。補正レンズ群ＵＣ２は、望遠端でのピント位置の補正を行い、当該補正のための光軸方向における移動量は、−４４μｍである。そして、本数値実施例に係るレンズ装置は、ズーム状態により移動する補正レンズ群を切り替えてもよい。また、ズーム状態により、第１の補正レンズ群Ｕ１の移動量および第２の補正レンズ群Ｕ２の移動量をそれぞれ取得し、第１の補正レンズ群Ｕ１および第２の補正レンズ群Ｕ２を同時に又は並行して移動して、ピント位置の変化を補正するようにしてもよい。
【００７１】
〔数値実施例５〕
図１５は、数値実施例５に係るレンズ装置における光学系（ズームレンズ）の広角端かつ無限遠合焦の状態での断面図である。同図を参照して、当該ズームレンズについて、物体側から像側へ順に説明を行う。
【００７２】
Ｕ１は、変倍（ズーム調整）のためには移動しない、正の屈折力の第１レンズ群である。第１レンズ群の一部は、無限遠から有限距離への合焦（フォーカス調整）のために像側から物体側へ移動する。Ｕ２は、広角端（短焦点距離端）から望遠端（長焦点距離端）への変倍のために像側へ移動する負の屈折力の第２レンズ群（バリエーターレンズ群）である。ＳＰは、開口絞りである。Ｕ３は、変倍のためには移動しない正の屈折力の第３レンズ群である。Ｕ４は、変倍のために移動する正の屈折力の第４レンズ群（コンペンセーターレンズ群）である。Ｐは、プリズムや光学フィルター等を含む光学ブロック（第５レンズ群ともいう）である。Ｉは、ズームレンズの像面であり、そこにはカメラ装置における撮像素子（光電変換素子）の受光面が配される。
【００７３】
本数値実施例において、変倍のために移動するレンズ群の中で焦点距離の絶対値が最も小さいレンズ群、空気レンズの合成焦点距離の絶対値が最も小さいレンズ群、および変倍比の絶対値が最も大きいレンズ群は、いずれも第２レンズ群Ｕ２である。本数値実施例に係るレンズ装置は、変倍レンズ群Ｕ４は、互いに異なる複数の気圧にそれぞれ対応する複数の移動軌跡を有している。そうして、ピント位置の変化を補正するための移動軌跡を気圧に基づいて選択することにより、気圧の変化によるピントのズレの補正（低減）を実施している。本数値実施例のズームレンズの０．７気圧でのピント位置の、基準とする１気圧でのピント位置に対する変化量は、広角端で−１２μｍ、望遠端で−７９μｍである。当該変化量を補正するためのＵ４の移動軌跡の変化量は、広角端で＋１３μｍ、望遠端で＋１０７μｍである。
【００７４】
ここで、表１は、数値実施例１ないし数値実施例５における条件式（１）、（５）および（６）に係る値を示す。各数値実施例は、条件式（１）、（５）および（６）を満足している。それゆえ、各数値実施例に係るレンズ装置は、気圧の変化によるピント位置の変化を補正するのに有利なものとなっている。
【００７５】
以下に各数値実施例に係る数値の詳細を示す。各数値実施例において、ｒは、各面の曲率半径とし、ｄは、各面間隔とし、νｄは、アッベ数とする。ｎｄまたはＮｄは、フラウンフォーファ線のｄ線に関する１気圧での絶対屈折率とする。フラウンフォーファ線のｇ線、Ｆ線、ｄ線およびＣ線に関する屈折率をそれぞれＮｇ、ＮＦ、ＮｄおよびＮＣとして、アッベ数νｄおよび部分分散比θｇｆは、その定義は一般的に用いられているものと同様であり、すなわち、それぞれ、次のように表される。
【００７６】
νｄ＝（Ｎｄ−１）／（ＮＦ−ＮＣ）
θｇｆ＝（Ｎｇ−ＮＦ）／（ＮＦ−ＮＣ）
非球面の形状は、光軸の方向にＸ軸をとり、光軸の方向とは直交する方向にＨ軸をとり、光の進行方向を正として表す。Ｒを近軸曲率半径とし、ｋを円錐定数とし、Ａ３、Ａ４、Ａ５、Ａ６、Ａ７、Ａ８、Ａ９、Ａ１０、Ａ１１、Ａ１２、Ａ１３、Ａ１４、Ａ１５およびＡ１６を非球面係数として、非球面の形状は、次式で表される。
【００７７】
【数５】
2020181157.tif 000007
【００７８】
なお、「ｅ−Ｚ」は、「×１０−Ｚ」を意味する。また、面番号に付された＊印は、該当する面が非球面であることを示している。
【００７９】
＜数値実施例１＞
単位 mm
面データ
面番号       r        d      nd         vd       有効径
1        211.684    3.00   1.83449    37.2      116.86
2        119.284    1.07   1.00027     0.0      112.54
3        117.822   15.47   1.43425    95.1      112.50
4        956.897   11.15   1.00027              111.55
5        162.287    8.77   1.43425    95.1      105.34
6        620.009    0.20   1.00027              104.87
7        157.165    8.12   1.43425    95.1      103.31
8        505.421    0.20   1.00027              102.58
9        141.065    8.69   1.43425    95.1       99.63
10        510.399  (可変)                         98.57
11         49.865    1.00   2.00384    28.3       35.12
12         24.717    9.77   1.00027               31.00
13        -38.300    0.90   1.81649    46.6       29.76
14        195.231    0.70   1.00027               29.53
15         49.164    4.90   1.92337    18.9       29.61
16        -98.473    2.23   1.00027               29.17
17        -56.568    1.10   1.81649    46.6       27.70
18         74.855  (可変)                         26.84
19        -48.752    1.30   1.71746    47.9       25.71
20         57.835    2.87   1.84698    23.9       27.24
21        341.243  (可変)                         27.65
22(絞り)    ∞       3.24   1.00027               33.60
23        279.345    6.76   1.60781    56.8       35.84
24        -52.197    0.15   1.00027               36.70
25       -693.828    3.29   1.51863    58.9       36.83
26       -112.257    0.35   1.00027               36.92
27         42.232    9.43   1.48789    70.2       36.28
28       -123.578    1.50   1.83449    37.2       34.75
29      -2415.030    0.15   1.00027               34.09
30         33.247    8.31   1.48789    70.2       32.06
31        -84.957    1.50   1.88350    40.8       30.17
32         30.301  (可変)                         27.54
33       -120.629    4.64   1.51782    52.4       30.99
34        -35.365    2.54   1.00027               31.27
35         63.076    1.20   1.78637    44.2       28.81
36         31.790    6.50   1.51782    52.4       27.80
37       -109.650    2.01   1.00027               27.42
38         76.161    5.44   1.51782    52.4       25.92
39        -36.256    1.20   1.83530    42.7       25.15
40         48.072    0.67   1.00027               24.34
41         33.725    4.04   1.48789    70.2       24.53
42       -225.928  (可変)                         24.30
43          ∞      33.00   1.60902    46.4       40.00
44          ∞      13.20   1.51721    64.2       40.00
45          ∞     (可変)                         40.00
像面        ∞
各種データ
ズーム比     39.81
焦点距離      11.03   439.19
Fナンバー      2.10     4.10
画角          26.50     0.72
像高           5.50     5.50
レンズ全長   389.28   389.28
BF            11.36    11.36
d10            7.32   116.28
d18          115.82    15.43
d21           10.40     1.83
d32           50.00    50.00
d42            3.80     3.80
d45           11.36    11.36
入射瞳位置    96.73   2379.11
射出瞳位置   293.25    293.25
前側主点位置 108.20   3502.55
後側主点位置   0.33   -427.83
ズームレンズ群データ
群  始面    焦点距離  レンズ構成長  前側主点位置  後側主点位置
1    1     161.95        56.68        27.08        -16.36
2   11     -20.39        20.61         7.33         -7.47
3   19     -66.65         4.17         0.27         -2.03
4   22      49.82        34.68       -10.30        -24.33
5   33      57.92        28.24         3.95        -16.00
6   43       ∞          46.20        14.60        -14.60
【００８０】
＜数値実施例２＞
単位 mm
面データ
面番号       r        d      nd         vd       有効径
1        164.542   17.02   1.48789    70.2      128.57
2      -2190.491    1.00   1.00027              127.75
3        163.406    3.40   1.72962    54.7      121.68
4        105.236    5.74   1.00027              116.27
5        118.299   22.48   1.43425    95.1      115.91
6       -391.744    1.50   1.00027              114.67
7       -311.036    3.20   1.72962    54.7      114.36
8        192.990   17.07   1.00027              110.42
9        154.702   17.13   1.43425    95.1      110.82
10       -398.948    0.20   1.00027              110.17
11        138.851    7.13   1.43425    95.1      103.92
12        229.587  (可変)                        102.37
13*     10889.244    1.20   1.77297    49.6       31.61
14         29.856    5.87   1.00027               28.82
15       -158.065    1.00   1.61843    63.3       28.49
16         31.991    7.28   1.72093    34.7       28.18
17        -76.450    3.06   1.00027               28.16
18        -36.038    1.00   1.61843    63.3       28.04
19        460.546    0.20   1.00027               29.13
20         77.615    2.85   1.54855    45.8       29.81
21        913.445  (可変)                         30.06
22        -74.286    1.00   1.72962    54.7       38.26
23        168.941    3.38   1.84715    23.8       39.86
24      -1285.456  (可変)                         40.47
25         78.883    8.43   1.59392    67.0       45.06
26*       -77.092    1.00   1.00027               45.25
27         50.042    8.78   1.59565    67.7       43.82
28       -139.554    3.00   1.00027               42.89
29(絞り)    ∞       3.00   1.00027               38.13
30       -139.468    4.62   1.43913    94.9       36.28
31        -45.110    1.20   2.00384    28.3       35.00
32         94.960    3.46   1.00027               34.20
33         43.242    9.04   1.56774    42.8       34.83
34        -64.973    4.22   1.00027               34.07
35       -367.839    1.20   2.00153    29.1       29.29
36         19.475    8.02   1.84715    23.8       27.05
37        204.743  (可変)                         26.46
38         47.069    3.59   1.48789    70.2       21.60
39       -174.898    7.39   1.00027               21.38
40        -29.977    1.00   1.88350    40.8       20.01
41         25.641    7.29   1.71782    29.5       21.06
42        -22.137    2.00   1.00027               21.77
43        -17.575    1.00   1.95427    32.3       21.48
44        -60.000    8.54   1.51782    52.4       23.58
45        -18.621  (可変)                         26.37
像面        ∞
非球面データ
第13面
K = 9.77458e+004  A 4= 2.20189e-006  A 6= 2.88707e-011  A 8= 2.09078e-012  A10=-1.14265e-013
A12= 9.17677e-016  A14=-3.08089e-018  A16= 3.85985e-021
第26面
K =-9.05930e-001  A 4= 7.04555e-007  A 6= 2.55835e-010  A 8=-9.15718e-013  A10= 2.78952e-015
A12=-2.67183e-018  A14=-1.00580e-021  A16= 2.50307e-024
各種データ
ズーム比     18.00
焦点距離      50.01   900.17
Fナンバー      4.51     7.00
画角          17.59     1.01
像高          15.85    15.85
レンズ全長   450.92   450.92
BF            45.92    45.92
d12           10.00   137.51
d21          137.35    13.37
d24            4.99     1.47
d37           43.19    43.19
d45           45.92    45.92
入射瞳位置   173.81   2263.76
射出瞳位置  -117.95   -117.95
前側主点位置 208.56  -1780.85
後側主点位置  -4.09   -854.24
ズームレンズ群データ
群  始面    焦点距離  レンズ構成長  前側主点位置  後側主点位置
1    1     224.99        95.88        36.30        -45.01
2   13     -33.00        22.45         2.64        -13.59
3   22    -118.41         4.38        -0.24         -2.65
4   25      46.35        55.97       -12.54        -40.29
5   38    3886.44        30.80       483.20        519.79
【００８１】
＜数値実施例３＞
単位 mm
面データ
面番号       r        d      nd         vd       有効径
1*        83.409    2.50   1.77297    49.6       76.26
2         29.520   16.93   1.00027               55.87
3         63.802    2.00   1.77297    49.6       53.21
4         31.287   18.01   1.00027               46.86
5        -56.871    2.00   1.58955    61.1       46.50
6       -559.990    1.50   1.00027               49.05
7         70.893    5.61   1.92337    18.9       54.81
8        200.025    3.93   1.00027               54.69
9        804.203    7.70   1.48789    70.2       55.05
10        -75.009    5.45   1.00027               55.19
11        463.190    2.00   1.84715    23.8       52.19
12         41.368   12.00   1.48789    70.2       50.52
13       -175.227    0.15   1.00027               50.77
14         95.756   11.57   1.49740    81.5       51.32
15        -56.664    0.15   1.00027               51.08
16         47.943    4.19   1.77297    49.6       42.52
17        110.525  (可変)                         41.60
18        447.083    1.20   1.75547    52.3       25.90
19         22.758    4.32   1.00027               22.72
20       -117.751    1.20   1.49740    81.5       22.32
21         22.853    4.01   1.78517    26.3       23.15
22        101.016    4.25   1.00027               23.10
23        -25.396    1.20   1.83449    37.2       23.19
24        -34.691  (可変)                         24.13
25        216.389    2.74   1.65044    65.5       25.37
26        -97.018    0.20   1.00027               25.60
27         62.541    5.17   1.49740    81.5       25.79
28        -37.393    1.40   1.83449    37.2       25.66
29        -90.520  (可変)                         25.83
30(絞り)    ∞       1.42   1.00027               24.29
31         44.514    5.87   1.76229    26.5       23.91
32        -57.831    1.50   1.72093    34.7       22.95
33         37.064  (可変)                         21.56
34        129.264    1.50   1.83449    37.2       20.31
35         44.467    5.52   1.49740    81.5       19.99
36        -47.210    5.45   1.00027               19.79
37         38.045    5.67   1.49740    81.5       21.72
38        -29.137    1.50   1.83449    37.2       21.64
39         34.796    5.00   1.00027               22.25
40         42.347    6.97   1.48789    70.2       27.15
41        -38.007  (可変)                         27.79
像面        ∞
非球面データ
第1面
K = 0.00000e+000  A 4= 1.86640e-006  A 6=-6.57382e-010  A 8= 8.07136e-013  A10=-4.17237e-016
A12= 1.14703e-019
各種データ
ズーム比      2.86
焦点距離      13.99    39.97
Fナンバー      2.80     2.80
画角          48.02    21.26
像高          15.55    15.55
レンズ全長   251.89   251.89
BF            40.01    40.01
d17            2.09    26.84
d24           28.66     1.20
d29            8.67    11.38
d33           10.68    10.68
d41           40.01    40.01
入射瞳位置    34.77    47.59
射出瞳位置   -72.22   -72.22
前側主点位置  47.02    73.33
後側主点位置  26.02     0.03
ズームレンズ群データ
群  始面    焦点距離  レンズ構成長  前側主点位置  後側主点位置
1    1      25.08        95.70        46.06         42.36
2   18     -24.01        16.17         2.88         -9.44
3   25      56.53         9.51         1.93         -4.22
4   30   -4175.33         8.79       332.76        303.09
5   34      76.45        31.62        19.02         -8.35
【００８２】
＜数値実施例４＞
単位 mm
面データ
面番号       r        d      nd         vd       有効径
1*       260.189    2.60   1.80448    46.5       74.49
2         28.143   20.19   1.00027     0.0       51.64
3       -183.262    1.90   1.80148    35.0       50.38
4         31.016   11.59   1.84715    23.8       46.41
5        194.218    5.78   1.00027     0.0       45.60
6        315.462    5.70   1.69725    55.5       43.53
7*       -87.666    3.99   1.00027     0.0       43.37
8       -192.000   10.07   1.43913    94.7       42.72
9        -32.594    1.80   1.89241    37.1       43.11
10       -103.402    0.20   1.00027     0.0       46.74
11        431.677    1.80   1.80148    35.0       48.63
12         99.474   12.78   1.43913    94.7       49.63
13        -48.808    0.45   1.00027     0.0       50.74
14       -246.591    6.82   1.43425    95.1       51.50
15        -57.432    0.45   1.00027     0.0       51.80
16        231.870    5.57   1.76432    48.5       49.97
17       -114.798  (可変)                         49.64
18        522.067    0.80   1.95427    32.3       21.30
19         19.610    4.57   1.00027     0.0       19.34
20        -31.234    0.80   1.59565    67.7       19.27
21       -105.818    1.22   1.00027     0.0       19.55
22        -72.003    4.41   1.85528    24.8       19.68
23        -18.964    0.80   1.88350    40.8       20.12
24      -2285.459    0.20   1.00027     0.0       20.90
25         57.547    3.79   1.65456    39.7       21.40
26        -39.501  (可変)                         21.50
27        -35.891    0.80   1.72962    54.7       20.44
28         40.158    2.60   1.85528    24.8       21.69
29        322.662  (可変)                         22.04
30(絞り)    ∞       1.40   1.00027     0.0       26.39
31       -578.359    3.14   1.80148    35.0       27.10
32        -48.365    0.15   1.00027     0.0       27.53
33        227.933    1.96   1.69725    55.5       27.86
34       -291.203    0.15   1.00027     0.0       27.89
35         71.130    5.88   1.53213    48.8       27.84
36        -36.462    1.00   1.95427    32.3       27.56
37       -232.268  (可変)                         27.75
38        323.228    3.49   1.67315    32.1       27.64
39        -57.787    0.50   1.00027     0.0       27.73
40         48.624    0.90   2.00153    29.1       26.90
41         22.797    8.34   1.52290    59.8       25.74
42        -44.828    2.30   1.00027     0.0       25.49
43        -30.253    0.90   1.88350    40.8       24.75
44         35.657    6.58   1.43913    94.7       25.80
45        -42.595    0.20   1.00027     0.0       26.81
46         53.969    8.10   1.48789    70.2       28.69
47        -30.439  (可変)                         28.94
48          ∞      33.00   1.60902    46.4       40.00
49          ∞      13.20   1.51721    64.2       40.00
50          ∞     (可変)                         40.00
像面        ∞
非球面データ
第1面
K = 9.44670e+000  A 4= 3.81992e-006  A 6= 4.37697e-008  A 8= 1.41324e-010  A10= 4.12115e-014
A12= 5.27213e-017  A14=-1.48898e-020  A16=-2.56438e-024
A 3=-3.31631e-006  A 5=-2.56083e-007  A 7=-3.48401e-009  A 9=-2.98160e-012  A11=-1.46900e-015
A13=-5.00671e-019  A15= 3.86866e-022
第7面
K =-6.04584e-001  A 4= 6.86726e-007  A 6=-8.39702e-008  A 8=-5.93636e-010  A10= 1.24241e-012
A12=-1.00949e-014  A14=-1.46071e-017  A16= 1.48555e-022
A 3= 3.03499e-007  A 5= 3.72098e-007  A 7= 1.02287e-008  A 9= 2.16581e-012  A11= 2.59634e-014
A13= 5.86785e-016  A15= 1.33930e-019
各種データ
ズーム比      9.00
焦点距離       4.60    41.40
Fナンバー      1.86     2.41
画角          50.09     7.57
像高           5.50     5.50
レンズ全長   313.68   313.68
BF             7.45     7.45
d17            0.85    61.66
d26           54.43     1.50
d29            9.78     1.90
d37           34.30    34.30
d47            4.00     4.00
d50            7.45     7.45
入射瞳位置    28.64    70.42
射出瞳位置   225.33   225.33
前側主点位置  33.34   119.69
後側主点位置   2.85   -33.95
ズームレンズ群データ
群  始面    焦点距離  レンズ構成長  前側主点位置  後側主点位置
1    1      32.79        91.68        46.44         56.94
2   18     -29.19        16.60        -4.52        -20.61
3   27     -50.25         3.40         0.18         -1.68
4   30      46.75        13.68         2.21         -6.56
5   38      49.93        31.30        18.34         -6.93
6   48       ∞          46.20        14.60        -14.60
【００８３】
＜数値実施例５＞ 
単位 mm
面データ
面番号       r        d      nd         vd       有効径
1        142.326    3.48   1.84715    23.8       58.71
2         63.356   11.03   1.69725    55.5       57.14
3      -1869.373    0.73   1.00027               56.54
4         58.101    6.11   1.77297    49.6       54.40
5        133.007  (可変)                         53.18
6         62.038    2.02   1.88350    40.8       26.42
7         18.143    6.66   1.00027               21.41
8        -52.406    1.83   1.77297    49.6       19.04
9         17.773    3.63   1.00027               17.33
10         24.602    3.86   1.92337    18.9       18.08
11         57.897  (可変)                         17.37
12(絞り)    ∞       4.03   1.00027               22.97
13*        31.553   10.25   1.58355    59.4       24.61
14        -60.766    1.52   1.00027               23.94
15         42.526    2.20   1.84715    23.8       22.24
16         25.200  (可変)                         20.85
17         49.578   10.67   1.65888    50.9       18.35
18        -19.768    1.83   1.84715    23.8       16.61
19        -40.816  (可変)                         16.33
20          ∞       8.70   1.51674    64.1       40.00
21          ∞     (可変)                         40.00
像面        ∞
非球面データ
第13面
K =-2.33784e+000  A 4= 1.44539e-007  A 6=-2.77612e-009  A 8= 7.66332e-013
各種データ
ズーム比     24.34
焦点距離       9.76   237.53
Fナンバー      1.85     4.10
画角          29.40     1.33
像高           5.50     5.50
レンズ全長   187.37   187.37
BF             7.03     7.03
d 5            2.12    59.27
d11           60.96     3.81
d16           23.00    33.51
d19           15.69     5.18
d21            7.03     7.03
入射瞳位置    41.26   814.27
射出瞳位置  -470.34   295.97
前側主点位置  50.82  1247.07
後側主点位置  -2.73  -230.50
ズームレンズ群データ
群  始面    焦点距離  レンズ構成長  前側主点位置  後側主点位置
1    1      86.84        21.36         4.31         -8.29
2    6     -13.83        18.00         3.93        -10.21
3   12      58.18        18.00        -0.46        -12.37
4   17      42.63        12.50         4.01         -3.84
5   20       ∞           8.70         2.87         -2.87
【００８４】
【表１】
2020181157.tif 000008
【００８５】
以上、本発明の好ましい実施形態について説明したが、本発明はこれらの実施形態に限定されないことはいうまでもなく、その要旨の範囲内で種々の変形及び変更が可能である。例えば、本発明は、変倍のために光軸の方向において移動する変倍レンズ群を有するレンズ装置の気圧の変化によるピント位置の変化を補正する方法に係る発明を含みうる。また、当該方法をコンピュータに実施させるプログラムに係る発明、および当該プログラムを記憶したコンピュータ可読記憶媒体に係る発明を含みうる。当該方法は、図２、３、５、７、８、および１０を参照して例示した６つの処理の流れのうちのいずれかの処理の流れにしたがった方法としうる。なお、これらの発明は、以下の処理を実行することによって実現されうる。当該処理は、上述した実施形態の機能を実現するソフトウェアまたはプログラムを、データ通信用のネットワークまたは各種記憶媒体を介してシステムまたは装置に供給したうえでの処理である。当該処理は、当該システムまたは装置のコンピュータ（またはＣＰＵやＭＰＵ等）が当該ソフトウェアまたはプログラムを読み出して実行する処理である。また、本発明は、当該コンピュータが読み取り可能に当該ソフトウェアまたはプログラムを記憶（記録）した記憶媒体（記録媒体）としても実現されうる。
【符号の説明】
【００８６】
０  レンズ装置
２ａ  変倍レンズ群
４  補正レンズ群
【図１】
2020181157.tif 000013
【図２】
2020181157.tif 000014
【図３】
2020181157.tif 000015
【図４】
2020181157.tif 000016
【図５】
2020181157.tif 000017
【図６】
2020181157.tif 000018
【図７】
2020181157.tif 000019
【図８】
2020181157.tif 000020
【図９】
2020181157.tif 000021
【図１０】
2020181157.tif 000022
【図１１】
2020181157.tif 000023
【図１２】
2020181157.tif 000024
【図１３】
2020181157.tif 000025
【図１４】
2020181157.tif 000026
【図１５】
2020181157.tif 000027
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
ズーム調整のために光軸の方向において移動する複数のレンズ群を有する撮影レンズ装置であって、
ピント補正のために前記光軸の方向において移動する補正レンズ群と、
気圧に関する情報に基づいて、前記補正レンズ群の位置を制御する制御部とを有することを特徴とする撮影レンズ装置。
【請求項２】
前記複数のレンズ群の中で焦点距離の絶対値が最も小さいレンズ群の焦点距離をｆｖ、前記撮影レンズ装置の広角端での焦点距離をｆｗとして、
０．４＜｜ｆｖ／ｆｗ｜＜９
なる条件式を満たすことを特徴とする請求項１に記載の撮影レンズ装置。
【請求項３】
前記複数のレンズ群の中で、各レンズ群におけるすべての空気レンズの合成焦点距離の絶対値が最も小さいレンズ群の前記合成焦点距離をｆａｉｒ＿ｔ、前記撮影レンズ装置の広角端での焦点距離をｆｗ、但し、ｆａｉｒ＿ｔは、前記絶対値が最も小さいレンズ群における第ｉ空気レンズの焦点距離をｆａｉｒ＿ｉとして、
【数１】
2020181157.tif 000028
なる式で表され、
前記第ｉ空気レンズの焦点距離ｆａｉｒ＿ｉは、
前記第ｉ空気レンズに物体側において隣接するレンズの屈折率をＮ１、該レンズの曲率半径をｒ１、
前記第ｉ空気レンズに像側において隣接するレンズの屈折率をＮ２、該レンズの曲率半径をｒ２、
前記第ｉ空気レンズの屈折率をＮａｉｒ、前記第ｉ空気レンズの前記光軸上の厚みをｄとして、
【数２】
2020181157.tif 000029
なる式で表されるものとして、
０．４＜｜ｆａｉｒ＿ｔ／ｆｗ｜＜６
なる条件式を満たすことを特徴とする請求項１に記載の撮影レンズ装置。
【請求項４】
前記複数のレンズ群における各レンズ群の、前記撮影レンズ装置の広角端での横倍率をβｗ、前記撮影レンズ装置の望遠端での横倍率をβｔ、変倍比をβｔ／βｗとして、前記複数のレンズ群の中で前記変倍比の絶対値が最も大きいレンズ群は、
２＜｜βｔ／βｗ｜
なる条件式を満たすことを特徴とする請求項１に記載の撮影レンズ装置。
【請求項５】
前記補正レンズ群の位置を検出する検出部と、前記補正レンズ群を駆動する駆動部とを有することを特徴とする請求項１ないし請求項４のうちいずれか１項に記載の撮影レンズ装置。
【請求項６】
前記気圧を計測する計測部を有することを特徴とする請求項１ないし請求項５のうちいずれか１項に記載の撮影レンズ装置。
【請求項７】
前記制御部は、高度の情報に基づいて、前記気圧の情報を得ることを特徴とする請求項１ないし請求項５のうちいずれか１項に記載の撮影レンズ装置。
【請求項８】
前記高度を計測する計測部を有することを特徴とする請求項７に記載の撮影レンズ装置。
【請求項９】
前記制御部は、前記高度の情報を全地球測位システムにより得ることを特徴とする請求項７に記載の撮影レンズ装置。
【請求項１０】
前記気圧に関する情報と前記補正レンズ群の移動量に関する情報との対応関係を記憶する記憶部を有することを特徴とする請求項１ないし請求項９のうちいずれか１項に記載の撮影レンズ装置。
【請求項１１】
前記制御部は、前記気圧の変化量が閾値未満の場合、前記補正レンズ群が移動しないようにすることを特徴とする請求項１ないし請求項１０のうちいずれか１項に記載の撮影レンズ装置。
【請求項１２】
前記閾値をＬとして、
０．５ｈｐａ＜Ｌ＜１００ｈｐａ
なる条件式を満たすことを特徴とする請求項１１に記載の撮影レンズ装置。
【請求項１３】
前記対応関係は、前記撮影レンズ装置の焦点距離によって異なることを特徴とする請求項１０に記載の撮影レンズ装置。
【請求項１４】
前記補正レンズ群を複数有することを特徴とする請求項１ないし請求項１３のうちいずれか１項に記載の撮影レンズ装置。
【請求項１５】
前記複数のレンズ群は、前記補正レンズ群を含むことを特徴とする請求項１ないし請求項１４のうちいずれか１項に記載の撮影レンズ装置。
【請求項１６】
互いに異なる複数の気圧にそれぞれ対応する前記補正レンズ群の複数の移動軌跡を有することを特徴とする請求項１５に記載の撮影レンズ装置。
【請求項１７】
最も物体側から像側へ順に、ズーム調整のためには移動しない正の屈折力の第１レンズ群と、ズーム調整のために移動する負の屈折力の第２レンズ群とを有することを特徴とする請求項１ないし請求項１６のうちいずれか１項に記載の撮影レンズ装置。
【請求項１８】
請求項１ないし請求項１７のうちいずれか１項に記載の撮影レンズ装置と、
前記撮影レンズ装置の像面に配された撮像素子とを有することを特徴とする撮像装置。
【請求項１９】
ズーム調整のために光軸の方向において移動する複数のレンズ群を有する撮影レンズ装置の気圧の変化によるピント位置の変化を補正する補正方法であって、
前記撮影レンズ装置において、ピント補正のために前記光軸の方向において移動する補正レンズ群の位置を前記気圧に関する情報に基づいて変更することを特徴とする補正方法。
【請求項２０】
請求項１９に記載の補正方法をコンピュータに実行させることを特徴とするプログラム。
【手続補正３】
【補正対象書類名】明細書
【補正対象項目名】０００６
【補正方法】変更
【補正の内容】
【０００６】
当該撮像装置におけるズームレンズは、主に焦点距離を変化させる変倍のための可動レンズユニット（バリエータ）と、当該変倍に伴う像面移動を補償（低減）するための可動レンズユニット（コンペンセータ）とを含む変倍レンズ群を有している。当該ズームレンズにおいて、強い屈折力を有する変倍レンズ群を有する場合、当該屈折力や変倍比の増大に伴って、気圧の変化に伴うピント位置の変化が増加する傾向がある。このようなズームレンズを、通常の気圧環境とは異なる気圧環境で用いた場合、気圧の変化に伴うピント位置のズレが生じうる。カメラの高画素化に伴ってカメラの画素ピッチが小さくなったことにより、焦点深度が浅くなり、そのため、気圧の変化に伴うピント位置のズレが目立ちやすくなってきている。本発明は、例えば、気圧の変化によるピント位置のズレを低減するのに有利な撮影レンズ装置を提供することを目的とする。
【手続補正４】
【補正対象書類名】明細書
【補正対象項目名】０００７
【補正方法】変更
【補正の内容】
【０００７】
本発明の一つの側面は、ズーム調整のために光軸の方向において移動する複数のレンズ群を有する撮影レンズ装置であって、
ピント補正のために前記光軸の方向において移動する補正レンズ群と、
気圧に関する情報に基づいて、前記補正レンズ群の位置を制御する制御部とを有することを特徴とする撮影レンズ装置である。
【手続補正５】
【補正対象書類名】明細書
【補正対象項目名】０００８
【補正方法】変更
【補正の内容】
【０００８】
本発明によれば、例えば、気圧の変化によるピント位置のズレを低減するのに有利な撮影レンズ装置を提供することができる。